(57)【要約】      （修正有）【課題】迫力のある遊びが楽しめ、また、低コストで簡単に製造することができる組立式立体玩具を提供する。【解決手段】組立式立体玩具１００は、弾性を有する軟質性素材から形成され、展開状態と曲折状態とを取り得、曲折状態で、所望の対象物の形状を有する立体物１となるシート１０を備えている。シート１０には、立体物１の形状を保持するように曲折状態となった際の対向部分同士を接続可能な第１の接続部１５が形成され、第１の接続部１５で対向部分を接続した際に、手を挿入可能で、挿入した手によって当該立体物１を支持可能な挿入部３が形成される。【選択図】図２
0003194827.tif 000002
【実用新案登録請求の範囲】
【請求項１】
弾性を有する軟質性素材から形成され、展開状態と曲折状態とを取り得、曲折状態で、所望の対象物の形状を有する立体物となるシートを備え、
前記シートには、前記立体物の形状を保持するように曲折状態となった際の対向部分同士を接続可能な第１の接続部が形成され、
前記第１の接続部で前記対向部分を接続した際に、手を挿入可能で、挿入した手によって当該立体物を支持可能な挿入部が形成されることを特徴とする組立式立体玩具。
【請求項２】
前記シートには、前記挿入部内に配置される取っ手が形成されていることを特徴とする請求項１に記載の組立式立体玩具。
【請求項３】
前記所望の対象物は、口を有しており、
前記取っ手は、前記立体物の前記口の上顎部分と下顎部分にそれぞれ形成され、
前記上顎部分の取っ手と、前記下顎部分の取っ手とを互いに引き合うことによって、前記対象物の口の開閉動作が可能であることを特徴とする請求項２に記載の組立式立体玩具。
【請求項４】
前記上顎部分と前記下顎部分とは、一端側が結合状態で他端側が未結合状態となっており、
前記シートには、曲折状態となった際に、前記上顎部分及び前記下顎部分の他端側同士を互いに接続する第２の接続部が形成されていることを特徴とする請求項３に記載の組立式立体玩具。
【請求項５】
前記取っ手は、前記上顎部分の対向部分同士、及び前記下顎部分の対向部分同士を接続する第３の接続部から構成されていることを特徴とする請求項２〜４のいずれか一項に記載の組立式立体玩具。
【請求項６】
前記第１の接続部は、前記立体物の前記口の上顎部分と下顎部分とに、それぞれ形成され、
前記第１の接続部には、前記曲折状態となった際の対向部分に対して係合可能な係合部が形成されており、
前記上顎部分に形成された前記第１の接続部は、前記上顎部分から上方に延出し、前記下顎部分に形成された前記第１の接続部は、前記下顎部分から下方に延出していることを特徴とする請求項３〜５のいずれか一項に記載の組立式立体玩具。
【請求項７】
前記第３の接続部は、前記第１の接続部よりも長さが長く、
曲折状態で、前記取っ手は前記挿入部の内側に撓むことを特徴とする請求項５に記載の組立式立体玩具。
【請求項８】
前記取っ手の、手で把持される箇所には、複数の凹凸が形成されていることを特徴とする請求項２〜７のいずれか一項に記載の組立式立体玩具。
【請求項９】
前記第１の接続部は、面ファスナーを備えていることを特徴とする請求項１〜８のいずれか一項に記載の組立式立体玩具。
【請求項１０】
前記第２の接続部は、面ファスナーを備えていることを特徴とする請求項４に記載の組立式立体玩具。
【請求項１１】
前記第３の接続部は、面ファスナーを備えていることを特徴とする請求項５に記載の組
立式立体玩具。
【請求項１２】
前記所望の対象物が、恐竜の頭部であることを特徴とする請求項１〜１１のいずれか一項に記載の組立式立体玩具。
【考案の詳細な説明】
【技術分野】
【０００１】
本考案は、組立式立体玩具に関する。
【背景技術】
【０００２】
従来、子供のごっこ遊びの玩具として、動物やキャラクターなど様々な対象物の形状のお面を使用することがある。
例えば、平らな紙のお面や、プラスチックを射出成型した立体的なお面が知られている。また、より人間の顔にフィットするように、シートに円形を印刷し打ち抜いて、２か所を接合することによって立体的に設計したお面が提案されている（例えば、特許文献１参照）。
【０００３】
一方、顔に装着するお面以外に、手で操作して遊ぶ操り人形として、頭部を支える支持棒を備えた操り人形が提案されている（例えば、特許文献２参照）。
【先行技術文献】
【特許文献】
【０００４】
【特許文献１】特開２００４−９７２６６号公報
【特許文献２】特開昭５８−４９１７１号公報
【考案の概要】
【考案が解決しようとする課題】
【０００５】
しかしながら、上記特許文献２に記載の操り人形は、手先に装着して指で操作して遊ぶので、操り人形の動きが小さく迫力に欠け、また、子供にとって操作も難しかった。さらに、操り人形の構造も複雑なため製造コストがかかり、製造に時間がかかるという問題があった。
本考案は、上記事情に鑑みてなされたもので、迫力のある遊びが楽しめ、また、低コストで簡単に製造することができる組立式立体玩具を提供することを目的とする。
【課題を解決するための手段】
【０００６】
請求項１に記載の考案は、
弾性を有する軟質性素材から形成され、展開状態と曲折状態とを取り得、曲折状態で、所望の対象物の形状を有する立体物となるシートを備え、
前記シートには、前記立体物の形状を保持するように曲折状態となった際の対向部分同士を接続可能な第１の接続部が形成され、
前記第１の接続部で前記対向部分を接続した際に、手を挿入可能で、挿入した手によって当該立体物を支持可能な挿入部が形成されることを特徴とする。
【０００７】
請求項２に記載の考案は、請求項１に記載の組立式立体玩具において、
前記シートには、前記挿入部内に配置される取っ手が形成されていることを特徴とする。
【０００８】
請求項３に記載の考案は、請求項２に記載の組立式立体玩具において、
前記所望の対象物は、口を有しており、
前記取っ手は、前記立体物の前記口の上顎部分と下顎部分にそれぞれ形成され、
前記上顎部分の取っ手と、前記下顎部分の取っ手とを互いに引き合うことによって、前記対象物の口の開閉動作が可能であることを特徴とする。
【０００９】
請求項４に記載の考案は、請求項３に記載の組立式立体玩具において、
前記上顎部分と前記下顎部分とは、一端側が結合状態で他端側が未結合状態となっており、
前記シートには、曲折状態となった際に、前記上顎部分及び前記下顎部分の他端側同士を互いに接続する第２の接続部が形成されていることを特徴とする。
【００１０】
請求項５に記載の考案は、請求項２〜４のいずれか一項に記載の組立式立体玩具において、
前記取っ手は、前記上顎部分の対向部分同士、及び前記下顎部分の対向部分同士を接続する第３の接続部から構成されていることを特徴とする。
【００１１】
請求項６に記載の考案は、請求項３〜５のいずれか一項に記載の組立式立体玩具において、
前記第１の接続部は、前記立体物の前記口の上顎部分と下顎部分とに、それぞれ形成され、
前記第１の接続部には、前記曲折状態となった際の対向部分に対して係合可能な係合部が形成されており、
前記上顎部分に形成された前記第１の接続部は、前記上顎部分から上方に延出し、前記下顎部分に形成された前記第１の接続部は、前記下顎部分から下方に延出していることを特徴とする。
【００１２】
請求項７に記載の考案は、請求項５に記載の組立式立体玩具において、
前記第３の接続部は、前記第１の接続部よりも長さが長く、
曲折状態で、前記取っ手は前記挿入部の内側に撓むことを特徴とする。
【００１３】
請求項８に記載の考案は、請求項２〜７のいずれか一項に記載の組立式玩具において、
前記取っ手の、手で把持される箇所には、複数の凹凸が形成されていることを特徴とする。
【００１４】
請求項９に記載の考案は、請求項１〜８のいずれか一項に記載の組立式立体玩具において、
前記第１の接続部は、面ファスナーを備えていることを特徴とする。
【００１５】
請求項１０に記載の考案は、請求項４に記載の組立式立体玩具において、
前記第２の接続部は、面ファスナーを備えていることを特徴とする。
【００１６】
請求項１１に記載の考案は、請求項５に記載の組立式立体玩具において、
前記第３の接続部は、面ファスナーを備えていることを特徴とする。
【００１７】
請求項１２に記載の考案は、請求項１〜１１のいずれか一項に記載の組立式立体玩具において、
前記所望の対象物が、恐竜の頭部であることを特徴とする。
【考案の効果】
【００１８】
請求項１に記載の考案によれば、展開状態と曲折状態とを取り得、曲折状態で、所望の対象物の形状を有する立体物となるシートを備え、シートには、立体物の形状を保持するように曲折状態となった際の対向部分同士を接続可能な第１の接続部が形成され、第１の接続部で前記対向部分を接続した際に手を挿入可能で挿入した手によって当該立体物を支持可能な挿入部が形成されるので、挿入部に手を挿入し、立体物を手で支え持つことによって、ごっこ遊びなど、迫力のある遊びを十分に楽しむことができる。また、シートを所
望の対象物の形状となるように折って、第１の接続部を接続した単純な構成であるので、低コストで簡単に製造することができる。
また、シートは、弾性を有する軟質性素材から形成されているので、子供が思い切りぶつけあっても安全で、壊れることもない。
【００１９】
請求項２に記載の考案によれば、シートには、挿入部内に配置される取っ手が形成されているので、手で持ちやすく、子供が簡単に遊ぶことができる。
【００２０】
請求項３に記載の考案によれば、所望の対象物は、口を有しており、取っ手は、立体物の口の上顎部分と下顎部分にそれぞれ形成され、上顎部分の取っ手と、下顎部分の取っ手とを互いに引き合うことによって、対象物の口の開閉動作が可能であるので、口を開けて噛みつく動作をすることができ、よりリアル感を出すことができる。
また、上顎部分の取っ手と、下顎部分の取っ手を両方の手で持って遊ぶことができ、小さい子供でも口を大きく動かすことができる。
【００２１】
請求項４に記載の考案によれば、上顎部分と下顎部分とは、一端側が結合状態で他端側が未結合状態となっており、シートには、曲折状態となった際に、上顎部分及び下顎部分の他端側同士を互いに接続する第２の接続部が形成されているので、例えば、下顎部分の第２の接続部の長さを短くすることによって、口の大きさや形状を容易に変更することができる。
【００２２】
請求項５に記載の考案によれば、取っ手は、上顎部分の対向部分同士、及び下顎部分の対向部分同士を接続する第３の接続部から構成されているので、上顎部分の第３の接続部同士と、下顎部分の第３の接続部同士をそれぞれ接続することによって容易に取っ手を形成することができる。
【００２３】
請求項６に記載の考案によれば、第１の接続部には、曲折状態となった際の対向部分に対して係合可能な係合部が形成されており、上顎部分に形成された第１の接続部は、上顎部分から上方に延出し、下顎部分に形成された第１の接続部は、下顎部分から下方に延出し、各第１の接続部の互いに延出する方向が逆方向となっているので、それぞれの第１の接続部に形成された係合部を係合させた際に、その係合が外れにくくなる。
【００２４】
請求項７に記載の考案によれば、第３の接続部は、第１の接続部よりも長さが長く、曲折状態で、取っ手は挿入部の内側に撓むので、取っ手を手で持ちやすくなる。
【００２５】
請求項８に記載の考案によれば、取っ手の、手で把持される箇所には、複数の凹凸が形成されているので、これら凹凸に指がフィットして持ちやすくなる。
【００２６】
請求項９に記載の考案によれば、前記第１の接続部は、面ファスナーを備えているので、低コストで、簡単に着脱することができる。また、使用しない場合には、互いに接着した面ファスナー同士を外して元のシート状態に戻すことができるので、収納しやすい。
【００２７】
請求項１０に記載の考案によれば、前記第２の接続部は、面ファスナーを備えているので、低コストで、簡単に着脱することができる。また、使用しない場合には、互いに接着した面ファスナー同士を外して元のシート状態に戻すことができるので、収納しやすい。
【００２８】
請求項１１に記載の考案によれば、前記第３の接続部は、面ファスナーを備えているので、低コストで、簡単に着脱することができる。また、使用しない場合には、互いに接着した面ファスナー同士を外して元のシート状態に戻すことができるので、収納しやすい。
【００２９】
請求項１２に記載の考案によれば、所望の対象物が、恐竜の頭部であるので、自分が大きくなったように感じることができるほど大きな恐竜の頭部を手で持って恐竜ごっこを楽しむことができる。
【図面の簡単な説明】
【００３０】
【図１】第１の実施形態における組立式立体玩具の使用例を示した図である。
【図２】図１の組立式立体玩具の全体構成を示す斜視図である。
【図３】図２の組立式立体玩具を背面側から見た場合の斜視図である。
【図４】図１の組立式立体玩具の側面図である。
【図５】恐竜の横向きの頭部の外形を有するシートの展開図である。
【図６】第２の実施形態における組立式立体玩具のシートの展開図である。
【図７】図６の組立式立体玩具の全体構成を示す斜視図である。
【図８】図７の組立式立体玩具を背面側から見た場合の斜視図である。
【図９】図７の組立式立体玩具を上面側から見た場合の斜視図である。
【図１０】第３の実施形態における組立式立体玩具の全体構成を示す斜視図である。
【図１１】図１０の組立式立体玩具を背面側から見た場合の斜視図である。
【考案を実施するための形態】
【００３１】
以下、図面を参照して、本考案の組立式立体玩具を実施するための形態について説明する。なお、この実施の形態によって本考案が限定されるものではない。
【００３２】
［第１の実施形態］
図１は、組立式立体玩具の使用例を示した図である。
組立式立体玩具１００は、例えば、子供が手で持って、ごっこ遊びなどの迫力のある遊びを行うことのできる玩具である。
【００３３】
図２は、組立式立体玩具の全体構成を示す斜視図である。また、図３は、図２の組立式立体玩具を背面側から見た場合の斜視図、図４は、組立式立体玩具の側面図である。
組立式立体玩具１００は、弾性を有する軟質性素材から形成され、展開状態と曲折状態とを取り得、曲折状態で、所望の対象物の形状を有する立体物１となるシート１０を備えている。そして、シート１０には、立体物１の形状を保持するように曲折状態となった際の対向部分同士を接続可能な第１の接続部１５が形成され、第１の接続部１５で対向部分を接続した際に、手を挿入可能で、挿入した手によって当該立体物１を支持可能な挿入部３が形成される。
【００３４】
シート１０は、弾性を有する軟質性素材から形成されており、具体的には、ＥＶＡ（エチレンビニルアセテート）やウレタンなどの柔軟樹脂製シート、フェルト、厚紙などが挙げられる。より好ましくは、軽量で低コストの点でＥＶＡシートであり、本実施形態ではＥＶＡシートを使用している。
ＥＶＡシートの厚さは、１０ｍｍ程度であることが、折りやすさの点で好ましい。
また、ＥＶＡシートの寸法は、適宜設定して良いが、本実施形態では、立体物１とした曲折状態で、例えば、高さ（Ｈ）２５０ｍｍ、幅（Ｗ）２５０ｍｍ、及び奥行き（Ｄ）４００ｍｍ程度である。
【００３５】
シート１０は、上記のような柔軟樹脂製シートを所望の対象物の形状の展開図のとおりに切断したものである。切断方法としては、例えば、ダイカットやレーザーカット等が挙げられる。
また、シート１０は、所望の対象物に応じて予め着色されていることが好ましい。
所望の対象物としては、例えば、恐竜、動物、人間、又は銃や剣などの武器等が挙げられる。以下の本実施形態では、恐竜の頭部を例に挙げて説明する。
【００３６】
図５は、恐竜の横向きの頭部の外形を有するシートの展開図である。
シート１０は、恐竜の口となる開口部１１を有し、開口部１１によって上顎部分１２及び下顎部分１３に分割されている。
また、開口部１１には恐竜の歯となる複数の突起部１７が形成されている。さらに、シート１０には、恐竜の目や鼻の穴が印刷されている。なお、歯となる突起部１７や目は、よりリアル感を出し、大迫力のデザインとするために、シルク印刷することが好ましい。
【００３７】
シート１０には、当該シート１０を立体的に折る際の複数の折り目１４a〜１４fが形成されている。これら折り目１４a〜１４fでそれぞれ山折りし、後述する第１〜第３の接続部１５，１８，１９，４１，５１を接続することによって、恐竜の横向きの頭部が立体的に組み立てられるようになっている。そして、恐竜の頭部の内側に形成される空間が、手を挿入して、挿入した手によって立体物１を支持可能な前記挿入部３となっている。
【００３８】
シート１０の図面上の右耳を形成する縁部には、矩形状の第１の接続部１５が形成されている。
第１の接続部１５の先端には、折り目１４cが形成されている。また、第１の接続部１５の先端の表面には、面ファスナー２cが形成されている。
一方、シート１０が曲折状態となった際に、第１の接続部１５の面ファスナー２cに対向する位置で、シート１０の図面上の左耳の裏面には面ファスナー２dが形成されている。
【００３９】
シート１０の恐竜の鼻先部分には、鼻筋部分となる略扇形の突出部１６が形成されている。突出部１６を形成する左右両縁部には、折り目１４d，１４dが形成されている。また、突出部１６を形成する左右両縁部の表面には、面ファスナー２h，２hが形成されている。
一方、シート１０が曲折状態となった際に、面ファスナー２h，２hに対向する位置で、シート１０の鼻先部分の裏面には面ファスナー２e，２eが形成されている。
【００４０】
シート１０の上顎部分１２と下顎部分１３とは、一端側（図面上の右端部側）が結合状態で他端側（図面上の左端部側）が未結合状態となっている。シート１０には、曲折状態となった際に、上顎部分１２及び下顎部分１３の他端側同士を互いに接続する第２の接続部１８，１９が形成されている。
上顎部分１２の第２の接続部１８の裏面には、面ファスナー２aが形成され、下顎部分１３の第２の接続部１９の表面には、面ファスナー２bが形成されている。
【００４１】
シート１０の上顎部分１２を形成する縁部で、鼻と左右の耳との間の位置には、第３の接続部４１，４１が形成されている。
図面上、右側の接続部４１の先端の表面には、面ファスナー２ｆが形成され、図面上、左側の接続部４１の先端の裏面には、面ファスナー２ｆが形成されている。そして、シート１０が曲折状態となった際に、面ファスナー２ｆ，２ｆ同士が互いに接続可能となっている。
面ファスナー２ｆ，２ｆ同士を互いに接続することによって、上顎部分１２側の取っ手４が構成され、挿入部３に挿入した手で取っ手４を持つことができるようになっている。取っ手４は、上記空間内（挿入部３）に配置されるようになっている（図３参照）。
【００４２】
一方、シート１０の下顎部分１３を形成する縁部にも、第３の接続部５１，５１が形成されている。
図面上、右側の接続部５１の先端の表面には、面ファスナー２gが形成され、図面上、左側の接続部５１の先端の裏面には、面ファスナー２gが形成されている。そして、シー
ト１０が曲折状態となった際に、面ファスナー２g，２g同士が互いに接続可能となっている。
面ファスナー２g，２g同士を互いに接続することによって、下顎部分１３側の取っ手５が構成され、挿入部３に挿入した手で取っ手５を持つことができるようになっている。取っ手５は、上記空間（挿入部３）内に配置されるようになっている（図３参照）。
【００４３】
シート１０の上顎部分１２側の取っ手４と、下顎部分１３側の取っ手５は、挿入部３に挿入した手でそれぞれを握って互いに引き合わせることで、恐竜の口が開閉可能となっている（図４参照）。
【００４４】
なお、シート１０の上顎部分１２の略中央に、折り目１４aが形成され、下顎部分１３の略中央に、折り目１４bが形成されている。
また、シート１０の上顎部分１２を形成する縁部と、第１の接続部１５、第３の接続部４１，４１及び突出部１６との境界部分にも、それぞれ折り目１４eが形成されている。
さらに、シート１０の下顎部分１３を形成する縁部と、第３の接続部５１，５１との境界部分にも、それぞれ折り目１４fが形成されている。
【００４５】
次に、上述の構成からなる組立式立体玩具１００の使用方法について説明する。
まず、図５に示す展開状態のシート１０を、各折り目１４a〜１４fに沿って山折りに折り、恐竜の頭部の形状となるように立体的に組み立てていく。
次いで、第１の接続部１５の表面の面ファスナー２cと、シート１０の図面上の左耳の裏面の面ファスナー２dとを互いに接続する。
また、上顎部分１２側の第２の接続部１８の裏面の面ファスナー２aと、下顎部分１３側の第２の接続部１９の表面の面ファスナー２bとを互いに接続する。
さらに、鼻筋部分となる略扇形の突出部１６の表面の面ファスナー２h，２hと、鼻先部分の裏面の面ファスナー２e，２eとを互いに接続する。
【００４６】
次いで、上顎部分１２側の第３の接続部４１，４１の面ファスナー２f，２f同士を接続し、下顎部分１３側の第３の接続部５１，５１の面ファスナー２g，２g同士も接続する。
以上のようにして、組立式立体玩具１００を組み立てる。
組み立て後、図１及び図２に示すように、手を挿入部３に挿入するとともに、上下の取っ手４，５を握って引き合うことによって、恐竜の口が開閉する。また、上下の取っ手４，５を握って振り回すこともでき、恐竜ごっこ遊びを楽しむことができる。
【００４７】
以上のような本実施形態の組立式立体玩具１００によれば、展開状態と曲折状態とを取り得、曲折状態で、恐竜の頭部の形状を有する立体物１となるシート１０を備え、シート１０には、立体物１の形状を保持するように曲折状態における対向部分同士を接続可能な第１の接続部１５が形成され、第１の接続部１５で接続した際に手を挿入可能で、挿入した手によって当該立体物１を支持可能な挿入部３が形成されるので、挿入部３に手を挿入し、立体物１を手で支え持つことによって、恐竜ごっこ遊びなど、迫力のある遊びを十分に楽しむことができる。また、シート１０を所望の対象物の形状となるように折って、第１の接続部１５を接続した単純な構成であるので、低コストで簡単に製造することができる。
また、シート１０は、弾性を有する軟質性素材から形成されているので、子供が思い切りぶつけあっても安全で、壊れることもない。
【００４８】
さらに、シート１０には、挿入部３内に配置される取っ手４，５が形成されているので、手で持ちやすく、子供が簡単に遊ぶことができる。
シート１０の恐竜の口の上顎部分１２と下顎部分１３とにそれぞれ取っ手４，５が形成されているので、各取っ手４，５を手でそれぞれ握って互いに引き合わせることによって
、恐竜の口の開閉動作ができ、口を開けて噛みつく動作をすることができ、よりリアル感のある遊びを行うことができる。また、上顎部分１２の取っ手４と、下顎部分１３の取っ手５を両方の手で持って遊ぶことができ、小さい子供でも口を大きく動かすことができる。
上顎部分１２と下顎部分１３とは、一端側が結合状態で他端側が未結合状態となっており、シート１０には、曲折状態となった際に上顎部分１２及び下顎部分１３の他端側同士を互いに接続する第２の接続部１８，１９が形成されているので、例えば、下顎部分１３の第２の接続部１９の長さを短くすることによって、恐竜の口の大きさや形状を容易に変更することができる。
【００４９】
取っ手４，５は、上顎部分１２の対向部分同士、及び下顎部分１３の対向部分同士を接続する第３の接続部４１，５１から構成されているので、上顎部分１２の第３の接続部４１，４１同士と、下顎部分１３の第３の接続部５１，５１同士をそれぞれ接続することによって容易に取っ手４，５を形成することができる。
第１〜第３の接続部１５，１６，１８，１９，４１，５１は、面ファスナー２c，２d，２a，２b，２f，２gを備えているので、低コストで、簡単に着脱することができる。また、使用しない場合には、互いに接着した面ファスナー２c，２d，２a，２b，２f，２g同士を外して元のシート状態に戻すことができるので、収納しやすい。
また、所望の対象物が、恐竜の頭部であるので、自分が大きくなったように感じることができるほど大きな恐竜の頭部を手で持って恐竜ごっこを楽しむことができる。
【００５０】
［第２の実施形態］
第１の実施形態の組立式立体玩具では、第１〜第３の接続部に面ファスナーを設けて、面ファスナーで接続するとしたが、第２の実施形態では、第１及び第３の接続部に係合突起を形成し、各接続部に対向する対向部分に、当該係合突起を係合可能な係合穴を形成し、係合突起を係合穴に係合させることによって接続する。
また、第１の実施形態の組立式立体玩具では、上顎部分と下顎部分とは、一端側が結合状態で他端側が未結合状態となっており、シートには、曲折状態となった際に上顎部分及び下顎部分の他端側同士を互いに接続する第２の接続部が形成されているとしたが、第２の実施形態では、上顎部分と下顎部分とが未結合状態の部分がなく、全て結合状態で一体に形成されている。以下、相違する部分についてのみ詳細に説明し、同様の構成部分については、同様の符号にＡを付してその説明を省略する。
【００５１】
図６は、組立式立体玩具のシートの展開図である。
シート１０Ａの図面上の右耳を形成する縁部と、図面上の左側の下顎部分１３Ａを形成する縁部とには、それぞれ矩形状の第１の接続部１５１Ａ、１５２Ａが形成されている。
第１の接続部１５１Ａは、上顎部分１２Ａから上方に延出し、第１の接続部１５２Ａは、下顎部分１３Ａから下方に延出しており、第１の接続部１５１Ａと第１の接続部１５２Ａとは、互いに逆方向に延出している。
また、第１の接続部１５１Ａ，１５２Ａの先端には、係合突起（係合部）２１aＡ，２１bＡが形成されている。
係合突起２１aＡ，２１bＡは、第１の接続部１５１Ａ，１５２Ａの先端に延出して設けられた凸部２２aＡ，２２bＡと、凸部２２aＡ，２２bＡの先端に設けられたテーパー部２３aＡ，２３bＡとを備えている。
凸部２２aＡ，２２bＡは、第１の接続部１５１Ａ，１５２Ａよりも径が小さくなっている。
テーパー部２３aＡ，２３bＡは、その基端が第１の接続部１５１Ａ，１５２Ａとほぼ同じ径で、先端に向けて先細となっている。
一方、シート１０Ａが曲折状態となった際に、第１の接続部１５１Ａの係合突起２１aＡに対向する位置で、シート１０Ａの図面上の左耳を形成する縁部には、係合突起２１a
Ａが係合する矩形状の穴部２５aＡを有する係合穴２４aＡが形成されている。
また、シート１０Ａが曲折状態となった際に、第１の接続部１５２Ａの係合突起２１bＡに対向する位置で、シート１０Ａの図面上の右側の下顎部分１３Ａを形成する縁部には、係合突起２１bＡが係合する矩形状の穴部２５bＡを有する係合穴２４bＡが形成されている。
穴部２５aＡ，２５bＡの径は、凸部２２aＡ，２２bＡの径よりも若干大きく形成されており、テーパー部２３aＡ，２３bＡの基端及び第１の接続部１５１Ａ，１５２Ａの先端の径よりも小さく形成されている。そのため、テーパー部２３aＡ，２３bＡを撓ませて穴部２５aＡ，２５bＡに挿入することにより、凸部２２aＡ，２３bＡが穴部２５aＡ，２５bＡに挿入された状態でテーパー部２２aＡ，２２bＡが穴部２５aＡ，２５bＡから抜けないように固定されるようになっている。
【００５２】
シート１０Ａの恐竜の鼻先部分に形成された略扇形の突出部１６Ａは、その左右両縁部に、係合突起２１cＡ，２１cＡが形成されている。
係合突起２１cＡは、上記係合突起２１aＡと同様の形状をなし、凸部２２cＡと、テーパー部２３cＡとを備えている。
一方、シート１０Ａが曲折状態となった際に、係合突起２１cＡに対向する位置で、シート１０Ａの鼻先部分の縁部には、上記係合穴２４aＡと同様に矩形状の穴部２５cＡを有する係合穴２４cＡが形成されている。
【００５３】
また、シート１０Ａの下顎部分１３Ａの略中央には、下方に延出する略扇形の突出部２０Ａが形成されている。突出部２０Ａの左右両縁部には、係合突起２１dＡ，２１dＡが形成されている。
係合突起２１dＡは、上記係合突起２１aＡと同様の形状をなし、凸部２２dＡと、テーパー部２３dＡとを備えている。
一方、シート１０Ａが曲折状態となった際に、係合突起２１dＡに対向する位置で、シート１０Ａの下顎部分の縁部（突出部２０Ａを挟んだ両側）には、上記係合穴２４aＡと同様に矩形状の穴部２５dＡを有する係合穴２４dＡが形成されている。
【００５４】
シート１０Ａの上顎部分１２Ａと下顎部分１３Ａとは、図面上の右端部及び左端部がいずれも結合状態となっており、一体に形成されている。
【００５５】
シート１０Ａの上顎部分１２Ａを形成する縁部で、鼻と右耳との間の位置には、第３の接続部４１Ａが形成されている。
第３の接続部４１Ａの先端には、係合突起２１eＡが形成されている。
係合突起２１eＡは、上記係合突起２１aＡと同様の形状をなし、凸部２２eＡと、テーパー部２３eＡとを備えている。
一方、シート１０Ａが曲折状態となった際に、係合突起２１eＡに対向する位置で、シート１０Ａの上顎部分１２Ａを形成する縁部で、鼻と左耳との間の位置には、上記係合穴２４aＡと同様に矩形状の穴部２５eＡを有する係合穴２４eＡが形成されている。そして、シート１０Ａが曲折状態となった際に、係合突起２１eＡと係合穴２４eＡとが係合可能となっており、係合することによって、上顎部分１２Ａ側の取っ手４Ａが構成され、挿入部３Ａに挿入した手で取っ手４Ａを持つことができるようになっている。取っ手４Ａは、上記空間内（挿入部３Ａ）に配置されるようになっている（図８及び図９参照）。
【００５６】
一方、シート１０Ａの下顎部分１３Ａを形成する縁部のうち、第１の接続部１５２Ａの近傍に、第３の接続部５１Ａが形成されている。
第３の接続部５１Ａの先端には、係合突起２１fＡが形成されている。
係合突起２１fＡは、上記係合突起２１aＡと同様の形状をなし、凸部２２fＡと、テーパー部２３fＡとを備えている。
一方、シート１０Ａが曲折状態となった際に、係合突起２１fＡに対向する位置で、シート１０Ａの下顎部分１３Ａを形成する縁部で、２つの係合穴２４bＡ，２４dＡの間の位置には、上記係合穴２４aＡと同様に穴部２５fＡを有する係合穴２４fＡが形成されている。そして、シート１０Ａが曲折状態となった際に、係合突起２１fＡと係合穴２４fＡとが係合可能となっており、係合することによって、下顎部分１３Ａ側の取っ手５Ａが構成され、挿入部３Ａに挿入した手で取っ手５Ａを持つことができるようになっている。取っ手５Ａは、上記空間内（挿入部３Ａ）に配置されるようになっている（図８及び図９参照）。
【００５７】
第３の接続部４１Ａ，５１Ａは、第１の接続部１５１Ａ，１５２Ａよりも長さが長くなっており、取っ手４Ａ，５Ａの状態とした際に、取っ手４Ａ，５Ａは、挿入部３内において内側に撓むようになっている（図８参照）。
また、第３の接続部４１Ａ，５１Ａは、係合突起２１eＡ，２１fＡと係合穴２４eＡ，２４fＡとを係合させて、取っ手４Ａ，５Ａの状態とした際に、手で把持する箇所に複数の凹凸４２Ａが形成されている。これら複数の凹凸４２Ａに、手の指がフィットして持ちやすくなっている。
【００５８】
次に、上述の構成からなる組立式立体玩具１００Ａの使用方法について説明する。
まず、図６に示す展開状態のシート１０Ａを、恐竜の頭部の形状となるように立体的に組み立てていく。
次いで、第１の接続部１５１Ａの係合突起２１aＡを、係合穴２４aＡに挿入して係合させる。詳細には、係合突起２１aＡのテーパー部２３aＡを撓ませつつ穴部２５aＡに挿入して、凸部２２aＡを穴部２４aＡに係合させる。
また、第１の接続部１５２Ａの係合突起２１bＡを、係合穴２４bＡに挿入して係合させる。
さらに、鼻筋部分となる略扇形の突出部１６Ａの係合突起２１cＡを、係合穴２４cＡに挿入して係合させる。また、下顎部分１３Ａとなる略扇形の突出部２０Ａの係合突起２１dＡを、係合穴２４dＡに挿入して係合させる。
【００５９】
次いで、上顎部分１２Ａ側の第３の接続部４１Ａの係合突起２１eＡを、係合穴２４eＡに挿入して係合させ、下顎部分１３Ａ側の第３の接続部５１Ａの係合突起２１fＡを、係合穴２４fＡに挿入して係合させる。
以上のようにして、組立式立体玩具１００Ａを組み立てる。
組み立て後、手を挿入部３Ａに挿入するとともに、上下の取っ手４Ａ，５Ａを握って引き合うことによって、恐竜の口が開閉する。
【００６０】
以上のような本実施形態の組立式立体玩具１００Ａによれば、第１の実施形態と同様の効果を得られる他、以下の効果を得ることができる。
シート１０Ａの上顎部分１２Ａ側と下顎部分１３Ａ側とに、それぞれ第１の接続部１５１Ａ，１５２Ａが形成され、第１の接続部１５１Ａ，１５２Ａには、曲折状態となった際の対向部分に形成された係合穴２４aＡ，２４bＡに対して係合可能な係合突起２１aＡ，２１bＡが形成されており、上顎部分１２Ａ側に形成された第１の接続部１５１Ａは、上方に延出し、下顎部分１３Ａ側に形成された第１の接続部１５２Ａは、下方に延出し、互いに延出する方向が逆方向となっているので、係合突起２１aＡ，２１bＡと係合穴２４aＡ，２４bＡとによる係合が外れにくくなる。
また、第３の接続部４１Ａ，５１Ａは、第１の接続部１５１Ａ，１５２Ａよりも長さが長くなっているので、第３の接続部４１Ａ，５１Ａの係合突起２１dＡ，２１eＡを係合穴２４dＡ，２４eＡに係合させて取っ手４Ａ，５Ａの状態に組み立てた際に、挿入部３Ａの内側に撓むため、取っ手４Ａ，５Ａを手で持ちやすくなる。
また、取っ手４Ａ，５Ａの手で把持される箇所には、複数の凹凸４２Ａが形成されてい
るので、これら凹凸４２Ａに指がフィットして持ちやすくなる。
さらに、上顎部分１２Ａと下顎部分１３Ａとが未結合状態の部分がなく、全て結合状態で一体に形成されているので、組立作業が容易となり、また、強度面でも優れる。
【００６１】
［第３の実施形態］
第２の実施形態の組立式立体玩具では、取っ手が、上顎部分の対向部分と下顎部分にそれぞれ形成されて、上顎部分の取っ手と、下顎部分の取っ手とを互いに引き合うことによって、恐竜の口の開閉動作が可能であるとしたが、第３の実施形態では、取っ手がシートとは別パーツで取り付けられるようになっており、開閉動作可能となる構成とはなっていない。以下、相違する部分についてのみ詳細に説明し、同様の構成部分については、同様の符号にＢを付してその説明を省略する。
図１０及び図１１に示すように、２本の取っ手４Ｂ，５Ｂの各端部にそれぞれ係合突起２１eＢ，２１fＢが形成されている。一方、曲折状態で、上顎部分１２Ｂの互いに対向する対向部分に取っ手４Ｂ，５Ｂの係合突起２１eＢ，２１fＢが係合する矩形状の穴部２５eＢ，２５fＢがそれぞれ形成されている。そして、これら穴部２５eＢ，２５fＢに、取っ手４Ｂ，５Ｂの各端部に形成された係合突起２１eＢ，２１fＢが係合されて取っ手４Ｂ，５Ｂが上顎部分１２Ｂに接続されている。
取っ手４Ｂ，５Ｂの各端部に形成された係合突起２１eＢ，２１fＢは、第２の実施形態で説明した係合突起２１eＡと同様の形状で、凸部２２eＢ，２２fＢと、凸部２２eＢ，２２fＢの先端に設けられたテーパー部２３eＢ，２３fＢとを備えている。また、穴部２５eＢ，２５fＢは、第２の実施形態で説明した係合穴２４eＡ，２４fＡの穴部２５eＡ，２５fＡと同様の形状をなしている。
したがって、テーパー部２３eＢ，２３fＢを撓ませて穴部２５eＢ，２５fＢに挿入することにより、凸部２２eＢ，２２fＢが穴部２５eＢ，２５fＢに挿入された状態でテーパー部２３eＢ，２３fＢが穴部２５eＢ，２５fＢから抜けないように固定されるようになっている。
また、図示しないが、取っ手４Ｂ，５Ｂの手で把持する箇所に、第２の実施形態の凹凸４２Ａと同様の凹凸を形成して持ち易くしても良いし、第１の実施形態と同様に把持する箇所を平らな面としても良い。
以上のような本実施形態の組立式立体玩具１００Ｂによれば、第２の実施形態と同様の効果を得られる他、以下の効果を得ることができる。
組立式立体玩具１００Ｂは、上顎部分１２Ｂと下顎部分１３Ｂとが開閉動作可能とはなっていないので、開閉操作がまだできないような小さな子供でも使用することができる。
【００６２】
以上、本考案の実施形態について説明したが、本考案は、かかる実施形態に限定されず、要旨を変更しない範囲で種々の変形が可能であることは言うまでもない。
例えば、上記第１及び第２の実施形態では、取っ手４，５，４Ａ，５Ａは、シート１０，１０Ａの上顎部分１２，１２Ａと下顎部分１３，１３Ａとにそれぞれ設ける構成としたが、これに限らず、上顎部分１２，１２Ａのみや下顎部分１３，１３Ａの一方のみに設けても良いし、その他の場所に設けても良い。
また、第１の実施形態において、第１〜第３の接続部１５，１８，１９，４１，５１には、面ファスナー２c，２d，２a，２b，２f，２gを設けて、面ファスナー２c，２d，２a，２b，２f，２gで接続するとしたが、着脱自在な部材であれば面ファスナーに限定されるものではなく、例えば、スナップや両面テープ等であっても良い。
また、第２及び第３の実施形態において、係合突起及び係合穴の形状等は、上述したものに限らず適宜変更可能である。
また、第１の実施形態では、第１〜第３の接続部１５，１８，１９，４１，５１で接続し、立体物１となる構成とし、第２の実施形態では、第１及び第３の接続部１５１Ａ，１５２Ａ，４１Ａ，５１Ａで接続し、立体物１Ａとなる構成としたが、接続部の個数及び位置は、上述した個数及び位置に限らず、適宜変更可能である。
さらに、第１及び第２の実施形態では、一枚のシート１０，１０Ａを組み立てて恐竜の頭部としたが、二枚以上のシートを組み立てて構成しても良い。
【符号の説明】
【００６３】
１，１Ａ，１Ｂ  立体物
２a，２b，２c，２d，２e，２f，２g，２h  面ファスナー
３，３Ａ，３Ｂ  挿入部
４，５，４Ａ，５Ａ，４Ｂ，５Ｂ  取っ手
１０，１０Ａ，１０Ｂ  シート
１１，１１Ａ，１１Ｂ  開口部
１２，１２Ａ，１２Ｂ  上顎部分
１３，１３Ａ，１３Ｂ  下顎部分
１４a，１４b，１４c，１４d，１４e，１４f  折り目
１５，１５１Ａ，１５２Ａ  第１の接続部
１６，１６Ａ，２０Ａ，１６Ｂ，２０Ｂ  突出部
１７，１７Ａ，１７Ｂ  突起部
１８，１９  第２の接続部
２１aＡ，２１bＡ，２１cＡ，２１dＡ，２１eＡ，２１fＡ，２１eＢ，２１fＢ  係合突起（係合部）
２２aＡ，２２bＡ，２２cＡ，２２dＡ，２２eＡ，２２fＡ，２２eＢ，２２fＢ  凸部
２３aＡ，２３bＡ，２３cＡ，２３dＡ，２３eＡ，２３fＡ，２３eＢ，２３fＢ  テーパー部
２４aＡ，２４bＡ，２４cＡ，２４dＡ，２４eＡ，２４fＡ  係合穴
２５aＡ，２５bＡ，２５cＡ，２５dＡ，２５eＡ，２５fＡ，２５eＢ，２５fＢ  穴部
４１，５１，４１Ａ，５１Ａ  第３の接続部
４２Ａ  凹凸
１００，１００Ａ，１００Ｂ  組立式立体玩具
【図１】
0003194827.tif 000003
【図２】
0003194827.tif 000004
【図３】
0003194827.tif 000005
【図４】
0003194827.tif 000006
【図５】
0003194827.tif 000007
【図６】
0003194827.tif 000008
【図７】
0003194827.tif 000009
【図８】
0003194827.tif 000010
【図９】
0003194827.tif 000011
【図１０】
0003194827.tif 000012
【図１１】
0003194827.tif 000013